【手続補正書】
【提出日】平成19年11月15日(2007.11.15)
【手続補正１】
【補正対象書類名】明細書
【補正対象項目名】特許請求の範囲
【補正方法】変更
【補正の内容】
【特許請求の範囲】
【請求項１】
第１の装置以外の複数の装置のそれぞれがネットワークを通じて提供している各サービスを、当該第１の装置を使用している現ユーザに提供するサービス提供方法であって、
前記第１の装置は、前記複数の装置のそれぞれと、前記ネットワークを介して通信可能であり、
複数のユーザのそれぞれに割り当てられ、それぞれ異なる固有情報が記録される領域をもち、かつ、可搬性があるユーザそれぞれの記録メディアのうちの１つが、前記第１の装置にローカルに接続可能であり、
前記第１の装置において、前記ネットワークを通じて、前記複数の装置の中の１つである第２の装置宛に、当該第２の装置により当該ネットワークを通じて提供されているサービスを利用したい旨を送信するサービス要求ステップと、
前記第１の装置に、前記現ユーザ用の記録メディアがローカルに接続され、かつ、当該記録メディアに前記固有情報が記録されている場合には、前記第２の装置において、前記ネットワーク及び前記第１の装置を通じて、当該記録メディアに記録された固有情報を読み出す固有情報読み出しステップと、
前記第２の装置において、前記固有情報読み出しステップで読み出した固有情報に基づいて、前記サービスをカスタマイズして、前記第１の装置に送信するサービス提供ステップと
を備えることを特徴とするサービス提供方法。
【請求項２】
第１の装置以外の複数の装置のそれぞれがネットワークを通じて提供している各サービスを受け付けて、当該第１の装置を使用している現ユーザに提供する第１の装置におけるサービス提供方法であって、
前記第１の装置は、前記複数の装置のそれぞれと、前記ネットワークを介して通信可能であり、
複数のユーザのそれぞれに割り当てられ、それぞれ異なる固有情報が記録される領域をもち、かつ、可搬性があるユーザそれぞれの記録メディアのうちの１つが、前記第１の装置にローカルに接続可能であり、
前記ネットワークを通じて、前記複数の装置の中の１つである第２の装置宛に、当該第２の装置により当該ネットワークを通じて提供されているサービスを利用したい旨を送信するサービス要求ステップと、
前記第１の装置に、前記現ユーザ用の記録メディアがローカルに接続され、かつ、当該記録メディアに前記固有情報が記録されている場合には、前記ネットワークを通じて、当該記録メディアに記録された固有情報を読み出して、前記第２の装置へ送出する固有情報送出ステップと、
前記固有情報送出ステップで送出した固有情報に基づいて、前記第２の装置においてカスタマイズされた前記サービスを、当該第２の装置から受け付けて、前記現ユーザに提供するサービス提供ステップと
を備えることを特徴とするサービス提供方法。
【請求項３】
前記固有情報送出ステップでは、
前記記録メディアが接続されていない場合、又は、前記記録メディアに前記固有情報が記録されていない場合には、どこからも前記固有情報を読み出さず、 前記サービス提供ステップでは、
前記固有情報送出ステップで前記固有情報を送出できない場合には、カスタマイズされていない前記サービスを、前記第２の装置から受け付けて、前記現ユーザに提供すること
を特徴とする請求項２に記載のサービス提供方法。
【請求項４】
前記記録メディアに記録される固有情報は、前記記録メディア毎に割り当てられた一人のユーザの個別の情報を示すユーザ情報を含み、 前記サービス提供ステップでは、
前記固有情報送出ステップで送出した固有情報に含まれるユーザ情報に基づいて、前記第２の装置において前記現ユーザ用にカスタマイズされた前記サービスを、当該第２の装置から受け付けて、前記現ユーザに提供すること
を特徴とする請求項３に記載のサービス提供方法。
【請求項５】
前記サービス提供方法は、さらに、固有情報送出ステップの後に、
前記ユーザ情報に変更が必要な場合には、前記第２の装置から、変更されたユーザ情報を受け取り、前記記録メディアに記録された固有情報に含まれるユーザ情報を更新するユーザ情報更新ステップを備えること
を特徴とする請求項４に記載のサービス提供方法。
【請求項６】
前記記録メディアに記録されている固有情報に含まれるユーザ情報は、公開鍵暗号方式の公開鍵により暗号化されており、 前記第２の装置には、前記公開鍵に対応する秘密鍵が記録されており、
前記サービス提供ステップでは、
前記固有情報送出ステップで送出した固有情報に含まれる暗号化されているユーザ情報を、前記秘密鍵により復号して利用することにより、前記第２の装置においてカスタマイズされた前記サービスを、当該第２の装置から受け付けて、前記現ユーザに提供し、
前記ユーザ情報更新ステップでは、
前記第２の装置から、前記公開鍵により暗号化されたユーザ情報を受け取り、前記記録メディアに記録された固有情報に含まれるユーザ情報を更新すること
を特徴とする請求項５に記載のサービス提供方法。
【請求項７】
前記ネットワークはインターネットであり、 前記第１の装置は、特定のインターネットブラウザにより動作するインターネット端末であり、
前記複数の装置それぞれは、Ｗｅｂサイトであり、
前記記録メディアに記録されている固有情報は、インターネットブラウザにおけるＣｏｏｋｉｅ情報であり、
前記サービス提供方法は、Ｃｏｏｋｉｅ情報のファイルを、可搬性がある記録メディアに記録すること
を特徴とする請求項６に記載のサービス提供方法。
【請求項８】
前記記録メディアに記録される固有情報は、前記記録メディア毎に固有のメディア識別子を含み、
前記第２の装置には、メディア識別子と対応付けて、メディア識別子毎に一人のユーザの個別の情報を示すユーザ情報が記録されており、 前記サービス提供ステップでは、
前記固有情報送出ステップで送出した固有情報に含まれるメディア識別子と対応付けられて記録されているユーザ情報を検索して利用することにより、前記現ユーザ用に前記第２の装置においてカスタマイズされた前記サービスを、当該第２の装置から受け付けて、前記現ユーザに提供すること
を特徴とする請求項３に記載のサービス提供方法。
【請求項９】
前記サービス提供方法は、さらに、サービス要求ステップの前に、
前記第１の装置に、前記現ユーザに割り当てられた記録メディアを、ローカルに接続する記録メディア接続ステップを備えること
を特徴とする請求項２に記載のサービス提供方法。
【請求項１０】
前記記録メディアに記録される固有情報は、前記記録メディア毎に固有のメディア識別子と、当該記録メディア毎に割り当てられた一人のユーザの個別の情報を示すユーザ情報とを含み、
前記ユーザ情報は、暗号化されており、
前記サービス提供ステップは、
前記現ユーザから、ユーザパスワードを受付けるユーザパスワード受付けサブステップを含み、
前記サービス提供ステップでは、
前記固有情報送出ステップで送出した固有情報に含まれるメディア識別子と、ユーザパスワード受付けサブステップで受付けられたユーザパスワードとから、生成された復号鍵を用いて復号されたユーザ情報に基づいて、前記一人のユーザ用に前記第２の装置においてカスタマイズされた前記サービスを、当該第２の装置から受け付けて、前記現ユーザに提供すること
を特徴とする請求項９に記載のサービス提供方法。
【請求項１１】
前記記録メディアは、セキュアデータエリアを備え、
前記メディア識別子は、セキュアデータエリアに記録されており、 前記固有情報送出ステップは、
前記第１の装置と、前記記録メディアとの間で、機器認証を行う機器認証サブステップと、
前記機器認証が正常に終了しなかった場合には、前記セキュアデータエリアに記録されたデータの送出を禁止する送出禁止サブステップとを含むこと
を特徴とする請求項１０に記載のサービス提供方法。
【請求項１２】
サービス提供装置以外の複数の装置のそれぞれがネットワークを通じて提供している各サービスを受け付けて、当該サービス提供装置を使用している現ユーザに提供するサービス提供装置であって、
当該サービス提供装置は、前記複数の装置のそれぞれと、前記ネットワークを介して通信可能であり、
複数のユーザのそれぞれに割り当てられ、それぞれ異なる固有情報が記録される領域をもち、かつ、可搬性があるユーザそれぞれの記録メディアのうちの１つが、当該サービス提供装置にローカルに接続可能であり、
前記ネットワークを通じて、前記複数の装置の中の１つである一の装置宛に、当該一の装置により当該ネットワークを通じて提供されているサービスを利用したい旨を送信するサービス要求手段と、
前記サービス提供装置に、前記現ユーザ用の記録メディアがローカルに接続され、かつ、当該記録メディアに前記固有情報が記録されている場合には、前記ネットワークを通じて、当該記録メディアに記録された固有情報を読み出して、前記一の装置へ送出する固有情報送出手段と、
前記固有情報送出手段で送出した固有情報に基づいて、前記一の装置おいてカスタマイズされた前記サービスを、当該一の装置から受け付けて、前記現ユーザに提供するサービス提供手段と
を備えることを特徴とするサービス提供装置。
【請求項１３】
前記固有情報送出手段は、
前記記録メディアが接続されていない場合、又は、前記記録メディアに前記固有情報が記録されていない場合には、どこからも前記固有情報を読み出さず、
前記サービス提供手段は、
前記固有情報送出手段で前記固有情報を送出できない場合には、カスタマイズされていない前記サービスを、前記一の装置から受け付けて、前記現ユーザに提供すること
を特徴とする請求項１２に記載のサービス提供装置。
【請求項１４】
前記記録メディアに記録される固有情報は、前記記録メディア毎に割り当てられた一人のユーザの個別の情報を示すユーザ情報を含み、
前記サービス提供手段は、
前記固有情報送出手段で送出した固有情報に含まれるユーザ情報に基づいて、前記一の装置において前記現ユーザ用にカスタマイズされた前記サービスを、当該一の装置から受け付けて、前記現ユーザに提供すること
を特徴とする請求項１３に記載のサービス提供装置。
【請求項１５】
前記サービス提供装置は、さらに、 前記ユーザ情報に変更が必要な場合には、前記一の装置から、変更されたユーザ情報を受け取り、前記記録メディアに記録された固有情報に含まれるユーザ情報を更新するユーザ情報更新手段を備えること
を特徴とする請求項１４に記載のサービス提供装置。
【請求項１６】
前記記録メディアに記録されている固有情報に含まれるユーザ情報は、公開鍵暗号方式の公開鍵により暗号化されており、
前記一の装置には、前記公開鍵に対応する秘密鍵が記録されており、
前記サービス提供手段は、 
前記固有情報送出手段で送出した固有情報に含まれる暗号化されているユーザ情報を、前記秘密鍵により復号して利用することにより、前記一の装置においてカスタマイズされた前記サービスを、当該一の装置から受け付けて、前記現ユーザに提供し、
前記ユーザ情報更新手段は、前記一の装置から、前記公開鍵により暗号化されたユーザ情報を受け取り、前記記録メディアに記録された固有情報に含まれるユーザ情報を更新すること
を特徴とする請求項１５に記載のサービス提供装置。
【請求項１７】
前記ネットワークはインターネットであり、
前記サービス提供装置は、特定のインターネットブラウザにより動作するインターネット端末であり、
前記複数の装置それぞれは、Ｗｅｂサイトであり、
前記記録メディアに記録されている固有情報は、インターネットブラウザにおけるＣｏｏｋｉｅ情報であり、
前記サービス提供装置は、Ｃｏｏｋｉｅ情報のファイルを、可搬性がある記録メディアに記録すること
を特徴とする請求項１６に記載のサービス提供装置。
【請求項１８】
前記記録メディアに記録される固有情報は、前記記録メディア毎に固有のメディア識別子を含み、
前記一の装置には、メディア識別子と対応付けて、メディア識別子毎に一人のユーザの個別の情報を示すユーザ情報が記録されており、
前記サービス提供手段は、
前記固有情報送出手段で送出した固有情報に含まれるメディア識別子と対応付けられて記録されているユーザ情報を検索して利用することにより、前記現ユーザ用に前記一の装置においてカスタマイズされた前記サービスを、当該一の装置から受け付けて、前記現ユーザに提供すること
を特徴とする請求項１３に記載のサービス提供装置。
【請求項１９】
前記サービス提供装置は、さらに、
当該サービス提供装置に、前記現ユーザに割り当てられた記録メディアを、ローカルに接続する記録メディア接続手段を備えること
を特徴とする請求項１２に記載のサービス提供装置。
【請求項２０】
前記記録メディアに記録される固有情報は、前記記録メディア毎に固有のメディア識別子と、当該記録メディア毎に割り当てられた一人のユーザの個別の情報を示すユーザ情報とを含み、
前記ユーザ情報は、暗号化されており、
前記サービス提供手段は、
前記第１の装置を利用するユーザから、ユーザパスワードを受付けるユーザパスワード受付け手段を含み、
前記サービス提供手段は、
前記固有情報送出手段で送出した固有情報に含まれるメディア識別子と、ユーザパスワード受付け手段で受付けられたユーザパスワードとから、生成された復号鍵を用いて復号されたユーザ情報に基づいて、前記一人のユーザ用に前記一の装置においてカスタマイズされた前記サービスを、当該一の装置から受け付けて、前記現ユーザに提供すること
を特徴とする請求項１９に記載のサービス提供装置。
【請求項２１】
前記記録メディアは、セキュアデータエリアを備え、
前記メディア識別子は、セキュアデータエリアに記録されており、 前記固有情報送出手段は、 前記第１の装置と、前記記録メディアとの間で、機器認証を行う機器認証手段と、
前記機器認証が正常に終了しなかった場合には、前記セキュアデータエリアに記録されたデータの送出を禁止する送出禁止手段とを含むこと
を特徴とする請求項２０に記載のサービス提供装置。
【請求項２２】
第１の装置以外の複数の装置のそれぞれがネットワークを通じて提供している各サービスを受け付けて、当該第１の装置を使用している現ユーザに提供するサービス提供プログラムを記録したコンピュータ読み取り可能な記録媒体であって、
前記第１の装置は、前記複数の装置のそれぞれと、前記ネットワークを介して通信可能であり、
複数のユーザのそれぞれに割り当てられ、それぞれ異なる固有情報が記録される領域をもち、かつ、可搬性があるユーザそれぞれの記録メディアのうちの１つが、前記第１の装置にローカルに接続可能であり、
前記第１の装置に、
前記ネットワークを通じて、前記複数の装置の中の１つである第２の装置宛に、当該第２の装置により当該ネットワークを通じて提供されているサービスを利用したい旨を送信するサービス要求ステップと、
前記第１の装置に、前記現ユーザ用の記録メディアがローカルに接続され、かつ、当該記録メディアに前記固有情報が記録されている場合には、前記ネットワークを通じて、当該記録メディアに記録された固有情報を読み出して、前記第２の装置へ送出する固有情報送出ステップと、
前記固有情報送出ステップで送出した固有情報に基づいて、前記第２の装置においてカスタマイズされた前記サービスを、当該第２の装置から受け付けて、前記現ユーザに提供するサービス提供ステップと
を実行させることを特徴とするサービス提供プログラムを記録したコンピュータ読み取り可能な記録媒体。
【請求項２３】
可搬性がある記録メディアであって、
当該記録メディアは、特定のインターネットブラウザにより動作するインターネット端末にローカルに接続可能であり、
当該記録メディアには、インターネットブラウザにおけるＣｏｏｋｉｅ情報が記録されており、
当該記録メディアが前記インターネット端末にローカルに接続されている場合には、当該インターネット端末にインターネットにより接続されたＷｅｂサイトより、前記特定のインターネットブラウザを介してＣｏｏｋｉｅ情報が保存され、読み出されること
を特徴とする記録メディア。
【請求項２４】
当該記録メディアに記録されているＣｏｏｋｉｅ情報は、前記Ｗｅｂサイトが保持する公開鍵暗号方式の秘密鍵に対応する公開鍵により暗号化されていること
を特徴とする請求項２３に記載の記録メディア。
【請求項２５】
前記記録メディアは、
記録メディア毎に固有のメディア識別子が記録されているセキュアデータエリアと、
前記インターネット端末との間で機器認証を行う機器認証手段と、
前記機器認証が正常に終了しなかった場合には、前記セキュアデータエリアに記録されたデータの読み出しを禁止する読み出し禁止手段とを備えること
を特徴とする請求項２３に記載の記録メディア。
【請求項２６】
前記記録メディアに記録されているＣｏｏｋｉｅ情報は、前記メディア識別子とユーザ毎に固有のユーザパスワードにより生成される復号鍵により、復号可能なように暗号化されていること
を特徴とする請求項２５に記載の記録メディア。